(57)【要約】      （修正有）【課題】立食パーテイー時、片手で食べ物入り皿と、コップを持つことができ、もう片方の手で箸を使い、テーブルにコップを置かずにお皿の食べ物を食べることを可能にする組み立て式パーティハンドを提供する。【解決手段】取っ手１の上端にボルト雄ネジを設け、中心部分に雌ネジを設けた食べ物受皿５を固定し、さらに取っ手の下部にナット式穴部を設け、一部に箸６を置く部分を備えた飲み物受け台２をボルト４で固定する。組み立て式にすることで、収納をコンパクトにし、持ち運びやすくなる。【選択図】図１
0003195259.tif 000002
【実用新案登録請求の範囲】
【請求項１】
パーテイーハンド組み立て式
【考案の詳細な説明】
【技術分野】
【０００１】  立食パーテイーの時、片手で食べ物入りの皿と、コップを持てるようにして、箸置きを設けることで片方の手で箸を使い、テーブルにコップを置かずにお皿の中の食べ物を食べることを可能にする
【背景技術】
【０００２】今まで立食パーテイーの時、片手にお皿を持ちもう一方の手でコップを持つと、箸で撮んで食べようと思った時は、必ずコップをテーブルの空いている所に置いて箸に持ち替えて食べていた。
【先行技術文献】
【０００３】
【特許文献１】
【０００４】
【非特許文献１】
【考案の概要】
【考案が解決しようとする課題】
【０００５】  片手で食べ物入り皿と、コップを持てるようにして、箸置きを設けることで、もう片方の手で箸を使い、テーブルにコップを置かずにお皿の食べ物を撮んで食べることを可能にする。
【考案が解決するための手段】
取っ手の下部に飲み物器をのせる取り外しのできる台を設けその一部に箸置き部分を設ける
取っ手の上部に食べ物をのせる取り外しの出来る器を設ける。このパーテイーハンドを組立て式にすることで、収納がコンパクトにし、持ち運びやすくする。
【考案の効果】
片手で食べ物入り皿と、コップを持てるようにして箸置きを設けることで、もう片方の手で箸を使い、テーブルにコップを置かずにお皿の食べ物を撮んで食べることを可能にする。
【図面の簡単な説明】
【図１】  立体図
【図２】  取っ手側面図
【図３】  取っ手下部飲み物受け台側面図
【図４】  取っ手下部飲み物受け台側面図
【図５】  取っ手下部飲み物受け台平面図
【図６】  取っ手上部食べ物受け皿底平面図
【図７】  取っ手上部食べ物受け皿側面図
【考案を実施するための形態】
【実施例１】
【実施例２】
【産業上の利用可能性】
【符号の説明】▲１▼                              取っ手
▲２▼                              飲み物受け台
▲３▼                              取っ手受け台
▲４▼                              取っ手固定ねじ
▲５▼                              食べ物受け皿
▲６▼                              箸
▲７▼                              飲み物器
▲８▼                              箸置き場
【図１】
0003195259.tif 000003
【図２】
0003195259.tif 000004
【図３】
0003195259.tif 000005
【図４】
0003195259.tif 000006
【図５】
0003195259.tif 000007
【図６】
0003195259.tif 000008
【図７】
0003195259.tif 000009
【手続補正書】
【提出日】平成26年6月30日(2014.6.30)
【手続補正１】
【補正対象書類名】実用新案登録請求の範囲
【補正対象項目名】全文
【補正方法】変更
【補正の内容】
【実用新案登録請求の範囲】
【請求項１】
片手にお皿とコップを持てることを特徴とする組み立て式のパーテイーハンド
【手続補正２】
【補正対象書類名】明細書
【補正対象項目名】全文
【補正方法】変更
【補正の内容】
【考案の詳細な説明】
【技術分野】
【０００１】  立食パーテイーの時、片手で食べ物入りの皿と、コップを持てるようにして、箸置きを設けることで、片方の手で箸を使い、テーブルにコップを置かずにお皿の中の食べ物を食べることを可能にする
【背景技術】
【０００２】今まで立食パーテイーの時、片手にお皿を持ちもう一方の手でコップを持つと、箸で撮んで食べようと思った時は、必ずコップをテーブルの空いている所に置いて箸に持ち替えて食べていた。
【先行技術文献】
【０００３】
【特許文献１】
【０００４】
【非特許文献１】
【考案の概要】
【考案が解決しようとする課題】
【０００５】  片手で食べ物入り皿と、コップを持てるようにして、箸置きを設けることで、もう片方の手で箸を使い、テーブルにコップを置かずにお皿の食べ物を撮んで食べることを可能にする。
【考案が解決するための手段】
取っ手の下部に飲み物器をのせる取り外しのできる台を設けその一部に箸置き部分を設ける
取っ手の上部に食べ物をのせる取り外しの出来る器を設ける。このパーテイーハンドを組立て式にすることで、収納がコンパクトにし、持ち運びやすくする。
【考案の効果】
片手で食べ物入り皿と、コップを持てるようにして箸置きを設けることで、もう片方の手で箸を使い、テーブルにコップを置かずにお皿の食べ物を撮んで食べることを可能にする。
【図面の簡単な説明】
【図１】  立体図
【図２】  取っ手側面図
【図３】  取っ手下部飲み物受け台側面図
【図４】  取っ手下部飲み物受け台側面図
【図５】  取っ手下部飲み物受け台平面図
【図６】  取っ手上部食べ物受け皿底平面図
【図７】  取っ手上部食べ物受け皿側面図
【考案を実施するための形態】
【実施例１】
【実施例２】
【産業上の利用可能性】
【符号の説明】▲１▼  取っ手……上部をボルト式に、下部横にナット式穴を設ける
▲２▼  飲み物受け台……コップ受け台と箸受けを設け、取っ手下部を差し込む穴を設ける
▲３▼  取っ手受け台……取っ手と飲み物受け台を固定させるための穴をあける
▲４▼  取っ手固定ねじ……取っ手と飲み物受け台をボルトねじで固定する
▲５▼  食べ物受け皿……皿底をナット式にして、取っ手上部ボルト接続させ固定する
▲６▼  箸
▲７▼  飲み物器
▲８▼  箸置き場
【手続補正３】
【補正対象書類名】図面
【補正対象項目名】全図
【補正方法】変更
【補正の内容】
【図１】
0003195259.tif 000010
【図２】
0003195259.tif 000011
【図３】
0003195259.tif 000012
【図４】
0003195259.tif 000013
【図５】
0003195259.tif 000014
【図６】
0003195259.tif 000015
【図７】
0003195259.tif 000016
【手続補正書】
【提出日】平成26年10月14日(2014.10.14)
【手続補正１】
【補正対象書類名】実用新案登録請求の範囲
【補正対象項目名】全文
【補正方法】変更
【補正の内容】
【実用新案登録請求の範囲】
【請求項１】
取っ手の上端にボルト雄ネジを設け、中心部分に雌ネジを設けた食べ物受皿を固定し、さらに上記取っ手の下部にナット式穴部を設けて飲み物受け台をボルトで固定したことを特徴とする、組み立て式のパーテイーハンド。